(57)【要約】      （修正有）【課題】煩雑な操作を要することなく、簡単に水抜きをすることができる湯水混合吐水装置を提供する。【解決手段】湯水混合吐水装置１であって、湯流入口２２ａ及び水流入口２２ｂを備えた湯水混合室と、湯水混合室内へ夫々流入する湯及び水の量を調節する主弁体と、湯流入口及び水流入口の上流側の流路に夫々設けられ、流路内が負圧になったとき、外気を流路内に吸入する吸気弁４ａ、６ａと、混合された湯水を吐出させる吐水部１２、１４と、吐水部１２、１４からの吐水が停止されているとき、湯水混合室内の湯水を排水可能な排水部１８と、吐水部１８からの吐水及び止水を切り換える吐止水切換機構１６と、を有し、吐止水切換機構１６は、止水状態に切り換えられたとき、湯流入口２２ａ及び水流入口２２ｂを閉鎖させると共に、湯水混合室と、排水部１８及び吐水部１２、１４とを連通させる。【選択図】図７
2015086683.tif 000002
【特許請求の範囲】
【請求項１】
供給された湯及び水を混合し、適温に調整した湯水を吐出させる湯水混合吐水装置であって、
供給された湯を流入させる湯流入口及び供給された水を流入させる水流入口を備えた湯水混合室と、
上記湯流入口及び上記水流入口から上記湯水混合室内へ夫々流入する湯及び水の量を調節する主弁体と、
上記湯流入口及び上記水流入口の上流側の流路に夫々設けられ、流路内が負圧になったとき、外気を流路内に吸入する吸気弁と、
上記湯水混合室内で混合された湯水を吐出させる吐水部と、
この吐水部からの吐水が停止されているとき、上記湯水混合室内の湯水を排水可能な排水部と、
上記吐水部からの吐水及び止水を切り換える吐止水切換機構と、を有し、
上記吐止水切換機構は、止水状態に切り換えられたとき、上記湯流入口及び上記水流入口を閉鎖させると共に、上記湯水混合室と、上記排水部及び上記吐水部とを連通させることを特徴とする湯水混合吐水装置。
【請求項２】
供給された湯及び水を混合し、適温に調整した湯水を吐出させる湯水混合吐水装置であって、
供給された湯を流入させる湯流入口及び供給された水を流入させる水流入口を備えた湯水混合室と、
上記湯流入口及び上記水流入口から上記湯水混合室内へ夫々流入する湯及び水の量を調節する主弁体と、
上記湯流入口及び上記水流入口の上流側の流路に夫々設けられ、流路内が負圧になったとき、外気を流路内に吸入する吸気弁と、
上記湯水混合室内で混合された湯水を吐出させる第１吐水部と、
上記湯水混合室内で混合された湯水を吐出させる第２吐水部と、
上記第１吐水部からの吐水、上記第２吐水部からの吐水及び止水を切り換える吐止水切換機構と、を有し、
上記吐止水切換機構は、止水状態に切り換えられたとき、上記湯流入口及び上記水流入口を閉鎖させると共に、上記湯水混合室と、上記第１吐水部及び上記第２吐水部とを連通させることを特徴とする湯水混合吐水装置。
【請求項３】
上記第１吐水部はカランにより構成され、上記第２吐水部はシャワーヘッドにより構成されている請求項２記載の湯水混合吐水装置。
【請求項４】
上記吐止水切換機構は、上記湯水混合室の下流側に設けられた切換バルブを備え、この切換バルブは、上記湯水混合室と上記第１吐水部を連通させる第１弁口及び上記湯水混合室と上記第２吐水部を連通させる第２弁口を備え、上記第１吐水部からの吐水時においては上記第１弁口のみが開弁され、上記第２吐水部からの吐水時においては上記第２弁口のみが開弁され、止水状態に切り換えられたときは、上記第１弁口及び上記第２弁口の両方が開弁される請求項２又は３記載の湯水混合吐水装置。
【請求項５】
上記吐止水切換機構は、更に、入口バルブ駆動機構を備え、この入口バルブ駆動機構は、上記切換バルブと連動して、上記切換バルブが止水状態に切り換えられたとき、上記湯流入口及び上記水流入口を閉鎖させる請求項４記載の湯水混合吐水装置。
【請求項６】
上記湯水混合室は、上記湯流入口の一部を形成する湯側シート部、及び上記水流入口の一部を形成する水側シート部を備え、上記主弁体は、上記湯側シート部に当接する位置と上記水側シート部に当接する位置の間で摺動されることにより、上記湯流入口及び上記水流入口から上記湯水混合室内へ夫々流入する湯及び水の量を調節するように構成され、上記吐止水切換機構は、止水状態に切り換えられたとき、上記湯側シート部又は上記水側シート部を摺動させることにより、上記主弁体を上記湯側シート部及び上記水側シート部の両方に同時に当接させて上記湯流入口及び上記水流入口を閉鎖させる請求項１又は２に記載の湯水混合吐水装置。
【請求項７】
更に、上記湯流入口に湯を供給する湯供給脚と、上記水流入口に水を供給する水供給脚と、を有し、上記湯供給脚及び上記水供給脚には、内部に形成された流路を閉鎖する止水栓が夫々設けられ、上記吸気弁は、上記止水栓に夫々設けられている請求項１乃至６の何れか１項に記載の湯水混合吐水装置。
【発明の詳細な説明】
【技術分野】
【０００１】
本発明は湯水混合吐水装置に関し、特に、供給された湯及び水を混合し、適温に調整した湯水を吐出させる湯水混合吐水装置に関する。
【背景技術】
【０００２】
登録実用新案第３０２３９２６号（特許文献１）には、水道用蛇口が記載されている。この水道用蛇口は、水道管に接続される接続部と、吐水、止水を切り換える栓機能部と、接続部と栓機能部の間に設けられた吸気弁と、を有する。水道用蛇口が寒冷地に設置された場合、夜間に、蛇口本体内や水道管内の水が凍結するのを防止するために水抜きを行う必要がある。登録実用新案第３０２３９２６号記載の水道用蛇口によれば、水道管の途中に設けた水抜栓を水抜き側に操作することにより、流路に滞留している水が排出される。即ち、吸気弁から流路内に大気が吸入されることにより、水抜栓の下流側から水道用蛇口の栓機能部の上流側までの流路に滞留している水が排出される。なお、栓機能部の下流側の水は吐水口から排出されており、下流側には水は滞留していない。
【先行技術文献】
【特許文献】
【０００３】
【特許文献１】登録実用新案第３０２３９２６号
【発明の概要】
【発明が解決しようとする課題】
【０００４】
しかしながら、寒冷地における水抜きを、温度調節機能付きの従来の湯水混合吐水装置について行う場合には、操作が煩雑になるという問題がある。
次に、図８を参照して、温度調節機能付きの従来の湯水混合吐水装置における水抜きを説明する。図８は、従来の湯水混合吐水装置の概略を示すブロック図である。
【０００５】
図８に示すように、従来の湯水混合吐水装置１００は、温度調節部１０２と、吐水切換部１０４と、を有する。温度調節部１０２には湯供給管１０６及び水供給管１０８が接続されており、これらから供給された湯及び水が温度調節部１０２内で混合され、吐水切換部１０４に流入する。吐水切換部１０４では、温度調節部１０２において混合された湯水を、カラン側１０４ａから吐水させるか、シャワー側１０４ｂから吐水させるか、或いは双方からの吐水を停止させるように切り換えられる。従って、湯水混合吐水装置１００においては、止水状態であっても温度調節部１０２内に水が充満し、温度調節部１０２内には湯及び水の供給圧力が作用している。
【０００６】
さらに、温度調節部１０２の上流側の、湯供給管１０６及び水供給管１０８には、逆止弁１０６ａ、１０８ａが夫々設けられている。即ち、湯供給管１０６と水供給管１０８は、止水状態においても、温度調節部１０２を介して連通しているため、給湯圧力と給水圧力に差がある場合、供給圧力の高い側から低い側へ逆流が発生する虞がある。逆止弁１０６ａ、１０８ａを設けることにより、温度調節部１０２から湯供給管１０６又は水供給管１０８への湯水の逆流を防止している。
【０００７】
このような構造の湯水混合吐水装置１００について水抜きを行う場合、まず、逆止弁１０６ａ、１０８ａの上流側に設けられた吸気弁１０６ｂ、１０８ｂを水抜き側に操作して開放する。湯供給管１０６、水供給管１０８の上流側の流路に設けられた水抜栓（図示せず）が水抜き側に操作されると、吸気弁１０６ｂ、１０８ｂから外気が取り込まれ、逆止弁１０６ａ、１０８ａの上流側に滞留している湯及び水が夫々排出される。しかしながら、逆止弁１０６ａ、１０８ａの下流側から、温度調節部１０２内、及び吐水切換部１０４内に滞留している湯水は、逆止弁１０６ａ、１０８ａに阻止され、排出されることがない。従って、逆止弁１０６ａ、１０８ａの下流側の何れかの箇所に、更なる吸気用のコック１１０を設けておき、これを操作して外気を取り込めるように開放すると同時に、吐水切換部１０４を操作して、カラン側１０４ａまたはシャワー側１０４ｂと連通させて、温度調節部１０２内等に滞留している湯水を排出するという追加の作業が必要になる、という問題がある。また、吸気弁１０６ｂ、１０８ｂ又は水抜き用のコック１１０及び吐水切換部１０４の何れかの操作を忘れた場合、滞留している水が凍結して、温度調節部１０２等を損傷する虞がある。
【０００８】
従って、本発明は、煩雑な操作を要することなく、簡単に水抜きをすることができる湯水混合吐水装置を提供することを目的としている。
【課題を解決するための手段】
【０００９】
上述した課題を解決するために、本発明は、供給された湯及び水を混合し、適温に調整した湯水を吐出させる湯水混合吐水装置であって、供給された湯を流入させる湯流入口及び供給された水を流入させる水流入口を備えた湯水混合室と、湯流入口及び水流入口から湯水混合室内へ夫々流入する湯及び水の量を調節する主弁体と、湯流入口及び水流入口の上流側の流路に夫々設けられ、流路内が負圧になったとき、外気を流路内に吸入する吸気弁と、湯水混合室内で混合された湯水を吐出させる吐水部と、この吐水部からの吐水が停止されているとき、湯水混合室内の湯水を排水可能な排水部と、吐水部からの吐水及び止水を切り換える吐止水切換機構と、を有し、吐止水切換機構は、止水状態に切り換えられたとき、湯流入口及び水流入口を閉鎖させると共に、湯水混合室と、排水部及び吐水部とを連通させることを特徴としている。
【００１０】
このように構成された本発明においては、湯流入口及び水流入口から湯水混合室へ流入する湯及び水の量が主弁体によって調整される。吐止水切換機構は、湯水混合室内で混合された湯水の吐水部からの吐水及び止水を切り換える。吐止水切換機構は、止水状態に切り換えられたとき、湯流入口及び水流入口を閉鎖させると共に、湯水混合室と、排水部及び吐水部とを連通させる。
【００１１】
このように構成された本発明によれば、止水状態において、湯水混合吐水装置の水抜きをする際には、単に、湯流入口及び水流入口の上流側の流路に設けられた水抜栓を水抜き側に操作するだけで、吸気弁から流路に外気が導入され、湯流入口及び水流入口の上流側の水抜きが完了する。一方、各流入口の下流側については、止水状態において、湯流入口及び水流入口が閉鎖されていると共に、湯水混合室と排水部及び吐水部が連通されているので、湯水混合室内に残留した湯水は、排水部から排出されている。この結果、湯水混合吐水装置に対しては、特別な水抜きの操作を行う必要がなく、極めて容易に水抜きを行うことができる。また、このように構成された本発明によれば、湯水混合室内の残水が排水部から排出されるので、排水部を使用者の目につきにくい位置に設けることにより、湯水混合吐水装置の品位を損なうことなく水抜きをすることができる。
【００１２】
また、本発明は、供給された湯及び水を混合し、適温に調整した湯水を吐出させる湯水混合吐水装置であって、供給された湯を流入させる湯流入口及び供給された水を流入させる水流入口を備えた湯水混合室と、湯流入口及び水流入口から湯水混合室内へ夫々流入する湯及び水の量を調節する主弁体と、湯流入口及び水流入口の上流側の流路に夫々設けられ、流路内が負圧になったとき、外気を流路内に吸入する吸気弁と、湯水混合室内で混合された湯水を吐出させる第１吐水部と、湯水混合室内で混合された湯水を吐出させる第２吐水部と、第１吐水部からの吐水、第２吐水部からの吐水及び止水を切り換える吐止水切換機構と、を有し、吐止水切換機構は、止水状態に切り換えられたとき、湯流入口及び水流入口を閉鎖させると共に、湯水混合室と、第１吐水部及び第２吐水部とを連通させることを特徴としている。
【００１３】
このように構成された本発明においては、湯流入口及び水流入口から湯水混合室へ流入する湯及び水の量が主弁体によって調整される。吐止水切換機構は、湯水混合室内で混合された湯水の第１吐水部からの吐水、第２吐水部からの吐水及び止水を切り換える。吐止水切換機構は、止水状態に切り換えられたとき、湯流入口及び水流入口を閉鎖させると共に、湯水混合室と、第１吐水部及び第２吐水部とを連通させる。
【００１４】
このように構成された本発明によれば、止水状態において、湯水混合吐水装置の水抜きをする際には、単に、湯流入口及び水流入口の上流側の流路に設けられた水抜栓を水抜き側に操作するだけで、吸気弁から流路に外気が導入され、湯流入口及び水流入口の上流側の水抜きが完了する。一方、各流入口の下流側については、止水状態において、湯流入口及び水流入口が閉鎖されていると共に、湯水混合室と第１吐水部及び第２吐水部が連通されているので、湯水混合室内に残留した湯水は、第１吐水部又は第２吐水部から排出されている。この結果、湯水混合吐水装置に対しては、特別な水抜きの操作を行う必要がなく、極めて容易に水抜きを行うことができる。また、このように構成された本発明によれば、特別な排水部を設けることなく、湯水混合室を水抜きすることができる。
【００１５】
本発明において、好ましくは、第１吐水部はカランにより構成され、第２吐水部はシャワーヘッドにより構成されている。
このように構成された本発明によれば、カラン及びシャワーヘッドを備えた、最も一般的な構成の湯水混合吐水装置に本発明を適用することができる。
【００１６】
本発明において、好ましくは、吐止水切換機構は、湯水混合室の下流側に設けられた切換バルブを備え、この切換バルブは、湯水混合室と第１吐水部を連通させる第１弁口及び湯水混合室と第２吐水部を連通させる第２弁口を備え、第１吐水部からの吐水時においては第１弁口のみが開弁され、第２吐水部からの吐水時においては第２弁口のみが開弁され、止水状態に切り換えられたときは、第１弁口及び第２弁口の両方が開弁される。
このように構成された本発明によれば、簡単な構成で、止水状態において湯水混合室と第１吐水部及び第２吐水部を連通させることができる。
【００１７】
本発明において、好ましくは、吐止水切換機構は、更に、入口バルブ駆動機構を備え、この入口バルブ駆動機構は、切換バルブと連動して、切換バルブが止水状態に切り換えられたとき、湯流入口及び水流入口を閉鎖させる。
【００１８】
このように構成された本発明によれば、入口バルブ駆動機構が、切換バルブと連動して湯流入口及び水流入口を閉鎖させるので、切換バルブに対する単一の操作で、湯流入口及び水流入口の閉鎖と、吐水部の切り換えとを同時に行うことができる。
【００１９】
本発明において、好ましくは、湯水混合室は、湯流入口の一部を形成する湯側シート部、及び水流入口の一部を形成する水側シート部を備え、主弁体は、湯側シート部に当接する位置と水側シート部に当接する位置の間で摺動されることにより、湯流入口及び水流入口から湯水混合室内へ夫々流入する湯及び水の量を調節するように構成され、吐止水切換機構は、止水状態に切り換えられたとき、湯側シート部又は水側シート部を摺動させることにより、主弁体を湯側シート部及び水側シート部の両方に同時に当接させて湯流入口及び水流入口を閉鎖させる。
このように構成された本発明によれば、湯流入口及び水流入口を閉鎖させるための特別な弁体を設けることなく、各流入口を閉鎖させることができる。
【００２０】
本発明において、好ましくは、更に、湯流入口に湯を供給する湯供給脚と、水流入口に水を供給する水供給脚と、を有し、湯供給脚及び水供給脚には、内部に形成された流路を閉鎖する止水栓が夫々設けられ、吸気弁は、止水栓に夫々設けられている。
【００２１】
このように構成された本発明によれば、吸気弁が止水栓に設けられているので、汎用の湯供給脚及び水供給脚に備えられている止水栓を、吸気弁を備えた止水栓に交換するだけで、容易に湯水混合室の上流側に吸気弁を設けることができる。
【発明の効果】
【００２２】
本発明の湯水混合吐水装置によれば、煩雑な操作を要することなく、簡単に水抜きをすることができる。
【図面の簡単な説明】
【００２３】
【図１】本発明の第１実施形態による湯水混合吐水装置全体を示す斜視図である。
【図２】本発明の第１実施形態の湯水混合吐水装置において、水栓本体の背面側に設けられた水供給脚の断面図である。
【図３】本発明の第１実施形態による湯水混合吐水装置の断面図である。
【図４】本発明の第１実施形態による湯水混合吐水装置に内蔵された湯水混合温調装置及び切換バルブの斜視図である。
【図５】本発明の第１実施形態による湯水混合吐水装置に内蔵された湯水混合温調装置及び切換バルブの分解斜視図である。
【図６】本発明の第１実施形態の湯水混合吐水装置において、吐止水切換ハンドルの回動角度を横軸に、切換バルブ及び湯水混合温調装置の通水路面積を縦軸に示したグラフである。
【図７】本発明の第１実施形態による湯水混合吐水装置の水抜き操作を説明するためのブロック図である。
【図８】従来の湯水混合吐水装置の概略を示すブロック図である。
【図９】本発明の第２実施形態による湯水混合吐水装置に備えられている湯供給脚の断面図である。
【図１０】図９の湯供給脚において、吸気弁が開弁された状態を拡大して示す断面図である。
【発明を実施するための形態】
【００２４】
次に、添付図面を参照して、本発明の好ましい実施形態を説明する。
図１乃至図７を参照して、本発明の第１実施形態による湯水混合吐水装置を説明する。
図１は、本発明の第１実施形態による湯水混合吐水装置全体を示す斜視図である。
【００２５】
図１に示すように、本発明の第１実施形態による湯水混合吐水装置１は、水栓本体２と、この水栓本体２に給湯器（図示せず）からの湯を供給する湯供給脚４と、水栓本体２に水道水を供給する水供給脚６と、を有する。さらに、湯水混合吐水装置１は、水栓本体２左端部に取り付けられた湯温調節用ダイヤル８と、右端部に取り付けられた吐止水切換ハンドル１０と、を有する。また、湯水混合吐水装置１は、温度調節された湯水を吐出させる第１吐水部であるカラン１２及び第２吐水部であるシャワーヘッド１４を有する。さらに、水栓本体２には、開閉弁である切換バルブ１６が内蔵されている。本実施形態の湯水混合吐水装置１は、湯供給脚４及び水供給脚６から夫々供給された湯及び水を、湯温調節用ダイヤル８によって設定された温度になるように混合し、吐止水切換ハンドル１０を操作して、カラン１２又はシャワーヘッド１４から吐出させるように構成されている。
【００２６】
さらに、湯供給脚４には、湯供給脚４内の流路が負圧になったとき、外気を湯供給脚４内に吸入する吸気弁４ａが設けられている。同様に、水供給脚６には、水供給脚６内の流路が負圧になったとき、外気を水供給脚６内に吸入する吸気弁６ａが設けられている。また、水栓本体２下部には、カラン１２及びシャワーヘッド１４からの吐水が停止されているとき、水栓本体２内の湯水を外部に排水可能な排水部１８が設けられている。
【００２７】
湯供給脚４は、壁面に設けられた給湯管（図示せず）と水栓本体２とを連結し、水栓本体２に湯を供給するように構成されている。
水供給脚６は、壁面に設けられた水道管（図示せず）と水栓本体２とを連結し、水栓本体２に水を供給するように構成されている。
【００２８】
水栓本体２には、湯供給脚４及び水供給脚６を介して導入された湯及び水を、適宜混合して所望の温度に調節する湯水混合温調装置２０（図４）が内蔵されている。また、水栓本体２に取り付けられた吐止水切換ハンドル１０は、これを回転操作することによって、水栓本体２に内蔵された切換バルブ１６を切換え、止水状態、カラン１２からの吐水状態、シャワーヘッド１４からの吐水状態が切換えられるようになっている。吐止水切換ハンドル１０をカランの側に回転させると、湯水混合温調装置２０（図４）によって適温に混合された湯水がカラン１２から吐水され、吐止水切換ハンドル１０をシャワーの側に回転させると、適温に混合された湯水が、シャワーヘッド１４から吐水される。
【００２９】
また、湯温調節用ダイヤル８は、これを廻すことによって水栓本体２に内蔵された湯水混合温調装置２０を操作し、湯水混合温調装置２０によって調節される湯の温度を変化させることができるように構成されている。
【００３０】
次に、図２乃至図５を参照して、本実施形態の湯水混合吐水装置１の内部構成を説明する。
図２は、水栓本体の背面側に設けられた水供給脚の断面図である。
まず、図２を参照して、水供給脚６に設けられた吸気弁６ａの構造を説明する。図２に示すように、吸気弁６ａは、吸気弁本体１９ａと、この吸気弁本体１９ａ内に摺動可能に配置された吸気弁体１９ｂと、この吸気弁体１９ｂを付勢する吸気弁体付勢ばね１９ｃと、を有する。
【００３１】
吸気弁本体１９ａは、概ね円筒状の部材であり、先端部には吸気弁口１９ｄが形成されている。
吸気弁体１９ｂは、吸気弁口１９ｄに着座する弁部と、この弁部から背面側に延びる弁軸部と、を有し、弁軸部が吸気弁本体１９ａによって軸方向に摺動可能に支持されている。
【００３２】
吸気弁体付勢ばね１９ｃは、弁軸部を取り囲むように配置されたコイルばねであり、吸気弁体１９ｂを弱い付勢力で付勢して、吸気弁体１９ｂを吸気弁口１９ｄに着座させている。ここで、水供給脚６の上流側の流路に設けられた水抜栓（図示せず）が水抜き側に操作されると、流路内に滞留している水が流出し、流路内に負圧が発生する。流路内に負圧が発生すると、水供給脚６内の流路にも負圧が発生し、吸気弁体１９ｂが吸気弁体付勢ばね１９ｃの付勢力に抗して、吸気弁口１９ｄから引き離される。これにより、吸気弁口１９ｄを介して水供給脚６内及びこれに連通している流路に外気が引き込まれる。
なお、ここでは、水供給脚６に設けられた吸気弁６ａの構造を説明したが、湯供給脚８に設けられた吸気弁８ａの構造も同様であり、同様に作用する。
【００３３】
次に、図３を参照して排水部１８の構成を説明する。図３は、湯水混合吐水装置１の断面図である。
図３に示すように、排水部１８は、排水弁本体１８ａと、この排水弁本体１８ａ内に摺動可能に配置された排水弁体１８ｂと、この排水弁体１８ｂを付勢する排水弁体付勢ばね１８ｃと、排水弁体１８ｂが着座する排水弁口形成部材１８ｄと、を有する。また、排水部１８は、カラン１２と並列に、カラン１２に連通するように設けられている。
【００３４】
排水弁本体１８ａは概ね円筒状の部材であり、その先端側には排水弁口形成部材１８ｄが配置されている。
排水弁体１８ｂは、排水弁口形成部材１８ｄの弁口に着座する弁部と、この弁部から背面側に延びる弁軸部と、を有し、弁軸部が排水弁本体１８ａによって軸方向に摺動可能に支持されている。
排水弁体付勢ばね１８ｃは、排水弁体１８ｂの弁軸部の周囲に配置され、排水弁体１８ｂを弱い付勢力で開弁側（図３における上方）に付勢している。
【００３５】
このように構成されることにより、カラン１２からの吐水が行われている状態においては、切換バルブ１６からカラン１２へ至る通水路内の圧力が上昇するため、排水弁体１８ｂは排水弁体付勢ばね１８ｃの付勢力に抗して押し下げられ、排水弁口形成部材１８ｄの弁口が閉弁される。また、カラン１２からの吐水が停止されている状態においては、通水路内の圧力が低下するため、排水弁体付勢ばね１８ｃの付勢力により排水弁口形成部材１８ｄの弁口は開弁され、排水可能な状態となる。
【００３６】
次に、図３乃至図５を参照して、水栓本体内に内蔵された湯水混合温調装置及び切換バルブの構造を説明する。
図４は湯水混合温調装置及び切換バルブの斜視図である。また、図５は湯水混合温調装置及び切換バルブの分解斜視図である。
【００３７】
まず、図３乃至図５を参照して、湯水混合温調装置２０の構成を説明する。
図３に示すように、湯水混合温調装置２０は、第１本体部材２２と、この第１本体部材２２に結合される第２本体部材２４と、この第２本体部材２４内に摺動可能に配置された摺動スリーブ２５と、摺動スリーブ２５を摺動させるカム部材２７と、湯温調節用ダイヤル８に連結される送りねじ２６と、この送りねじ２６に螺合され、送りねじ２６が回転されると第１本体部材２２内で摺動する摺動部材２８と、を有する。また、湯水混合温調装置２０は、第１本体部材２２の内部に移動可能に配置された主弁体３０と、主弁体３０を図３における右方向に付勢する付勢手段であるバイアスばね３２と、バイアスばね３２とは反対方向の図３における左方向に主弁体３０を付勢する感温付勢手段である感温ばね３４と、を有する。本実施形態においては、感温ばね３４として、形状記憶合金製のコイルばねを使用している。
【００３８】
図３及び図５に示すように、第１本体部材２２は、概ね円筒状の形態であり、図３において右側に位置する第２本体部材２４と結合される。また、第１本体部材２２には、湯を流入させるための湯流入口２２ａ及び水を流入させるための水流入口２２ｂが夫々円周方向に設けられている。また、湯流入口２２ａの図３における左側の端面は、主弁体３０と当接する湯側シート部２２ｃとして形成されている。従って、湯側シート部２２ｃは湯流入口２２ａの一部を形成している。
【００３９】
第２本体部材２４は、概ね円筒状の形態であり、その端部が第１本体部材２２の端部に受け入れられることによって、第１本体部材２２と結合されている。これら第１本体部材２２及び第２本体部材２４の内部の空間は、湯流入口２２ａ及び水流入口２２ｂから流入した湯及び水を混合する湯水混合室２１として機能する。
【００４０】
摺動スリーブ２５は、概ね円筒状の形態であり、第２本体部材２４の内部に摺動可能に配置されている。また、摺動スリーブ２５の先端部は、主弁体３０と当接する水側シート部２５ａとして形成されている。このため、摺動スリーブ２５を第２本体部材２４に対して摺動させることにより、湯側シート部２２ｃと水側シート部２５ａの間の距離を変化させることができる。さらに、摺動スリーブ２５の第１本体部材２２とは反対側の端部には、湯水混合室２１内で混合された湯を流出させる吐出口２５ｂが形成されている。なお、供給された水は、主弁体３０の一端部と水側シート部２５ａの間を通って湯水混合室２１内に流入するので、水側シート部２５ａは水流入口の一部を形成している。
【００４１】
カム部材２７は、円環状の部材であり、第２本体部材２４の内部に回転可能に配置されている。また、カム部材２７の図３における右側の端部は、第２本体部材２４の右側の端部から突出される。カム部材２７の、摺動スリーブ２５側の端面には、軸線方向の高さが変化するように構成されたカム２７ａが形成されている。一方、摺動スリーブ２５の、カム部材２７側の端面にもカム部２５ｃが形成されており、このカム部２５ｃがカム２７ａに対して摺動する。この構成により、カム部材２７が回転されると、摺動スリーブ２５が軸線方向に移動される。後述するように、止水状態においては、摺動スリーブ２５は、湯側シート部２２ｃ及び水側シート部２５ａの両方が同時に主弁体３０と当接する位置に摺動され、湯流入口２２ａ及び水流入口２２ｂが閉鎖される。一方、吐水状態においては、湯側シート部２２ｃと水側シート部２５ａの間の距離が止水状態よりも長くなるように、摺動スリーブ２５が摺動される。
【００４２】
このように、本実施形態の湯水混合吐水装置１においては、摺動スリーブ２５の摺動によって吐水、止水が切り換えられ、切換バルブ１６によってカラン１２からの吐水とシャワーヘッド１４からの吐水が切り換えられる。従って、切換バルブ１６及び摺動スリーブ２５は、吐止水切換機構として機能する。また、摺動スリーブ２５及びこれに対して摺動するカム部材２７の作用によって、湯流入口２２ａ及び水流入口２２ｂが閉鎖されるので、摺動スリーブ２５及びカム部材２７は入口バルブ駆動機構として機能する。
【００４３】
送りねじ２６は、第１本体部材２２の内部に回転可能に配置されている。送りねじ２６の一方の端部には、湯温調節用ダイヤル８が取り付けられるスプライン部２６ａが形成され、他方の端部には、摺動部材２８と螺合される送り雄ねじ部２６ｂが形成されている。
【００４４】
摺動部材２８は、概ね円筒形の形態であり、第１本体部材２２の内部に摺動可能に配置されている。また、摺動部材２８の外側には、軸線方向の溝２８ａ（図５）が形成されており、この溝２８ａが、第１本体部材２２の内部に形成された軸線方向に延びる突起（図示せず）を受け入れることによって、摺動部材２８の第１本体部材２２に対する回転が拘束されている。さらに、摺動部材２８の内側には、送りねじ２６の送り雄ねじ部２６ｂと螺合される送り雌ねじ部２８ｂが形成されている。これにより、送りねじ２６を回転させると、摺動部材２８は第１本体部材２２の軸線方向に摺動される。
【００４５】
主弁体３０は、図５に示すように、概ね円筒状の弁体である。円筒状の主弁体３０の両端には、湯側シート部２２ｃ、水側シート部２５ａと夫々当接するように、パッキンが一体成形されている。
【００４６】
また、図３に示すように、Ｏリング４２が、主弁体３０の外周に配置されている。このＯリング４２は、主弁体３０の外周面と第１本体部材２２の内壁面との間に位置し、湯水混合室２１内に流入した湯及び水が主弁体３０の外側で混合されるのを防止している。
【００４７】
また、Ｏリング４２の水側（図３における右側）には、脚付スペーサーリング４６が配置されている。図５に示すように、脚付スペーサーリング４６は、軸線方向に延びる６本の脚部４６ａを備えたリングである。脚付スペーサーリング４６により、Ｏリング４２の位置は、脚付スペーサーリング４６と、第１本体部材２２の内壁に形成された段部によって規制され、第１本体部材２２内の所定の位置に位置決めされる。
【００４８】
さらに、図３及び図４に示すように、主弁体３０の左側には、脚付環状部材３８と、整流部材３９と、バイアスばね３２と、ばね押え金具３６と、Ｕ字金具４４が配置されている。脚付環状部材３８は、その脚部が主弁体３０に当接するように配置されている。整流部材３９は一端が細く閉鎖された円筒状の部材であり、脚付環状部材３８の環状部の中に受け入れられるように配置される。ばね押え金具３６は、中央部が隆起したドーナツ板状の金具であり、Ｕ字金具４４によって整流部材３９と連結されている。バイアスばね３２は、脚付環状部材３８の環状部とばね押え金具３６の間に挟まれ、予め圧縮された状態で第１本体部材２２の内部に配置される。この構成により、バイアスばね３２は、摺動部材２８がばね押え金具３６に当接すると、主弁体３０を、図３における右方向に付勢する。
【００４９】
また、図３に示すように、主弁体３０の右側には、混合羽根部材４０と、感温ばね３４が配置されている。混合羽根部材４０は、概ね円板状の部材であり、摺動スリーブ２５の内部で摺動可能に配置されている。また、混合羽根部材４０の図３における左側の端部は主弁体３０に当接するように配置され、この端部には、湯水混合室２１に流入した湯及び水を混合させ、温度を均一にするための放射状の羽根４０ａ（図５）が設けられている。感温ばね３４の図３における左側の端部は、混合羽根部材４０に当接し、右側の端部は摺動スリーブ２５の内壁面の端部に当接するように配置されている。この構成により、感温ばね３４は、混合羽根部材４０を介して、主弁体３０を図３における左方向に付勢する。
【００５０】
一方、第１本体部材２２の外側には、湯流入口２２ａ及び水流入口２２ｂを覆うように、円筒状のフィルター５２、５４が夫々配置されており、湯又は水に混入したゴミ等が、湯水混合温調装置２０内に流入するのを防止している。
【００５１】
次に、図３乃至図５を参照して、切換バルブ１６の構成を説明する。
切換バルブ１６は、切換バルブ本体６０と、この内側に配置されたパッキン押さえ部材６２と、パッキン押さえ部材６２の内部に回転可能に配置された回転シリンダ６４と、回転シリンダ６４を回転させるための切換軸部材６６と、を有する。
【００５２】
切換バルブ本体６０は概ね円筒状の部材であり、その側面には、湯水混合室２１内で混合された湯水をカラン１２側へ流出させる第１弁口であるカラン流出口６０ａと、シャワーヘッド側へ流出させる第２弁口であるシャワー流出口６０ｂが設けられている。図５に示すように、カラン流出口６０ａ及びシャワー流出口６０ｂは、切換バルブ本体６０の軸線方向にずれた位置に形成されると共に、円周方向には中心角約９０゜ずれた位置に形成されている。
【００５３】
パッキン押さえ部材６２は、肉薄の円筒状の部材であり、カラン流出口６０ａ及びシャワー流出口６０ｂに夫々整合する位置に開口部が設けられている。これらの開口部にはパッキン６２ａ、６２ｂが夫々嵌め込まれている。これにより、パッキン６２ａ、６２ｂは、カラン流出口６０ａ及びシャワー流出口６０ｂの周囲を夫々取り囲むように保持されている。
【００５４】
回転シリンダ６４は円筒状の部材であり、パッキン押さえ部材６２の内側に回転可能に嵌め込まれている。回転シリンダ６４の湯水混合温調装置２０側（図３における左側）の端部には、切欠６４ｃが設けられている。この切欠６４ｃは、第２本体部材２４の端部から突出しているカム部材２７に設けられた突起２７ｂ（図５）を受け入れるように形成されている。この構成により、カム部材２７と回転シリンダ６４が係合され、回転シリンダ６４の回転と共にカム部材２７が回転される。
【００５５】
また、回転シリンダ６４の側面には、２組の流出開口６４ａ、６４ｂ（図５には６４ｂのみ図示）が、回転シリンダ６４の軸線方向にずれた位置に形成されている。さらに、各流出開口６４ａ、６４ｂは、円周方向にも所定角度ずれた位置に形成されている。パッキン押さえ部材６２の内側で回転されることにより、回転シリンダ６４は、カラン流出口６０ａと流出開口６４ａのみが連通する位置、シャワー流出口６０ｂと流出開口６４ｂのみが連通する位置、及びカラン流出口６０ａ及びシャワー流出口６０ｂが夫々流出開口６４ａ、６４ｂと連通する位置をとることができる。なお、本実施形態の切換バルブ１６においては、カラン流出口６０ａ及びシャワー流出口６０ｂの両方が、流出開口６４ａ、６４ｂと連通しない状態となることはない。即ち、本実施形態の切換バルブ１６においては、カラン流出口６０ａ及びシャワー流出口６０ｂの少なくとも一方が、常に流出開口６４ａ、６４ｂと連通した状態となっている。
【００５６】
切換軸部材６６は、細長い軸部材であり、一端が回転シリンダ６４の端部に取り付けられ、他端が吐止水切換ハンドル１０（図３）に取り付けられている。これにより、吐止水切換ハンドル１０が回動されると、切換軸部材６６、回転シリンダ６４、及びカム部材２７が共に回動される。
【００５７】
次に、図３を参照して、本発明の第１実施形態による湯水混合吐水装置１における湯水混合温調装置２０の作用を説明する。
まず、湯水混合吐水装置１の使用者は、湯温調節用ダイヤル８を所望の温度に設定する。ここで、湯温調節用ダイヤル８を最低温度に設定した場合には、摺動部材２８は図３における左端に位置される。この状態では、図３に示すように、摺動部材２８がばね押え金具３６から離間するのでバイアスばね３２による付勢力は作用せず、主弁体３０の図３における左側の端部は、感温ばね３４の付勢力により湯側シート部２２ｃに当接される。即ち、湯水混合室２１内には、水のみが流入できる状態となる。
【００５８】
次に、使用者が設定温度を上昇させるために、湯温調節用ダイヤル８を操作して送りねじ２６を回転させると、摺動部材２８は図３における右方向に移動され、摺動部材２８はばね押え金具３６と当接する。これにより、バイアスばね３２による付勢力も主弁体３０に作用するようになり、主弁体３０は、バイアスばね３２の付勢力と感温ばね３４の付勢力が釣り合う位置に移動される。
【００５９】
主弁体３０が移動されることにより、湯供給脚４から導入された湯は、フィルター５２を介して湯導入口２２ａに流入し、水供給脚６から導入された水は、フィルター５４を介して水導入口２２ｂに流入する。湯導入口２２ａから流入した湯は主弁体３０と湯側シート部２２ｃの間を通って湯水混合室２１内部に流入し、水導入口２２ｂから流入した水は主弁体３０と水側シート部２５ａの間を通って湯水混合室２１内部に流入する。
【００６０】
湯水混合室２１に流入した湯は、主弁体３０の内側を通って、図３における右方向に流れる。また、湯水混合室２１に流入した水は、主弁体３０の中を流れる湯と混合され、主に感温ばね３４の内部を通って吐出口２５ｂから流出する。この際、混合羽根部材４０の羽根４０ａにより、湯と水の混合が促進され、ほぼ均一な温度に混合されて感温ばね３４の内部を流れる。吐出口２５ｂから流出した湯は、切替バルブ１６を通って、カラン１２又はシャワーヘッド１４から吐出される。
【００６１】
感温ばね３４の内部を流れる湯の温度が設定温度よりも高い場合には、感温ばね３４は伸びるように作用するので、感温ばね３４による付勢力が増大する。これにより、感温ばね３４による付勢力とバイアスばね３２による付勢力が釣り合う位置が図３における左側に移動し、主弁体３０は左方向に移動される。その結果、主弁体３０の左端部と湯側シート部２２ｃの間の距離は短くなり、主弁体３０の右端部と水側シート部２４ｂの間の距離は長くなるので、湯水混合室２１に流入する水の割合が増大し、吐出される湯の温度が低下する。逆に、感温ばね３４の内部を流れる湯の温度が設定温度よりも低い場合には、感温ばね３４による付勢力は減少し、主弁体３０は図３における右方向に移動されて、吐出される湯の温度が上昇する。これらの作用により、カラン１２又はシャワーヘッド１４から吐出される湯の温度が、設定温度に調節される。
【００６２】
次に、図６を参照して、切換バルブ１６の作用を説明する。
図６は、吐止水切換ハンドルの回動角度を横軸に、切換バルブ及び湯水混合温調装置の通水路面積（弁開度）を縦軸に示したグラフである。なお、図６において、切換バルブ１６の通水路面積は破線及び一点鎖線で示され、切換バルブ１６の通水路面積は、カラン流出口６０ａの通水路面積（一点鎖線）及びシャワー流出口６０ｂの通水路面積（破線）からなる。また、図６において、湯水混合温調装置２０の通水路面積は実線で示され、湯水混合温調装置２０の通水路面積とは、湯流入口２２ａと水流入口２２ｂの通水路面積の合計を意味している。ここで、湯側シート部２２ｃから水側シート部２５ａ（図３）までの距離が、主弁体３０（図３）の軸線方向長さと等しい場合には、湯流入口２２ａ及び水流入口２２ｂは閉鎖され、湯水混合温調装置２０の通水路面積はゼロとなる。摺動スリーブ２５が図３における右側に移動され、湯側シート部２２ｃから水側シート部２５ａまでの距離が主弁体３０の軸線方向長さよりも長くなるほど、湯水混合温調装置２０の通水路面積は増大する。
【００６３】
図６に示すように、吐止水切換ハンドル１０の角度が０゜（中央位置）にある状態においては、摺動スリーブ２５のカム部２５ｃとカム部材２７のカム２７ａ（図５）の凸部同士が当接し、摺動スリーブ２５は図３における最も左側へ移動されている。この状態では、主弁体３０の両端が、湯側シート部２２ｃ及び水側シート部２５ａと夫々当接しているため、湯流入口２２ａ及び水流入口２２ｂは閉鎖された状態となる。この角度０゜の状態を中心として、吐止水切換ハンドル１０の回転角度約±５゜の範囲に亘って、摺動スリーブ２５はほぼ同一の位置に維持され、主弁体３０と湯側シート部２２ｃ及び水側シート部２５ａは当接された状態に維持される。なお、この角度範囲における摺動スリーブ２５の僅かな移動は、主弁体３０の両端部に形成されたパッキンの弾性変形により吸収され、主弁体３０と湯側シート部２２ｃ及び水側シート部２５ａは当接された状態に維持される。これにより、湯流入口２２ａ及び水流入口２２ｂは閉鎖された状態に維持される。
【００６４】
一方、図６に示すように、切換バルブ１６におけるカラン流出口６０ａ及びシャワー流出口６０ｂは、吐止水切換ハンドル１０の回転角度０゜を中心とする角度約±５゜の範囲に亘って、両方とも開いた状態に維持される。しかしながら、上述したように、この角度範囲においては、湯流入口２２ａ及び水流入口２２ｂが閉鎖された状態にあるため、カラン１２、シャワーヘッド１４からの吐水は行われず、止水状態となる。
【００６５】
さらに、吐止水切換ハンドル１０を約＋５゜以上シャワー側へ回動させると、カラン流出口６０ａが回転シリンダ６４により閉鎖される（図６の一点鎖線）一方、シャワー流出口６０ｂの通水路面積は増大する（図６の破線）。この吐止水切換ハンドル１０の回動に連動して、湯水混合温調装置２０のカム部材２７が回動される。これにより、カム２７ａの凸部が、摺動スリーブ２５のカム部２５ｃの凹部付近と当接するようになり（図５）、摺動スリーブ２５は、図３における右方向に移動される。摺動スリーブ２５が移動されることにより、湯水混合温調装置２０の通水路面積が確保される。これにより、湯流入口２２ａ及び水流入口２２ｂから流入した湯及び水が湯水混合室２１内で混合されて、切換バルブ１６に流入し、シャワー流出口６０ｂを通ってシャワーヘッド１４から吐出される。
【００６６】
また、吐止水切換ハンドル１０を約−５゜以上カラン側へ回動させると、シャワー流出口６０ｂが回転シリンダ６４により閉鎖される（図６の破線）一方、カラン流出口６０ａの通水路面積は増大する（図６の一点鎖線）。この吐止水切換ハンドル１０の回動に連動して、カム２７ａの凸部が、摺動スリーブ２５のカム部２５ｃの凹部付近と当接するようになり、摺動スリーブ２５は、図３における右方向に移動される。これにより、湯水混合室２１内で混合された湯及び水が、切換バルブ１６に流入し、カラン流出口６０ａを通ってカラン１２から吐出される。
【００６７】
次いで、吐止水切換ハンドル１０が中央位置付近（回転角度約±５゜の範囲）に戻されると、湯流入口２２ａ及び水流入口２２ｂが閉鎖されて止水状態となる一方、カラン流出口６０ａ及びシャワー流出口６０ｂは開いた状態になる。この状態においては、シャワーヘッド１４の散水孔、及びカラン１２の吐水口は、切換バルブ１６（及びこれに連通した湯水混合室２１）を介して連通した状態となる。さらに、図３に示すように、カラン１２と排水部１８は常に連通された状態にあるため、排水部１８も、シャワーヘッド１４の散水孔、及び湯水混合室２１と連通した状態となる。また、止水状態においては、切換バルブ１６から排水部１８に至る通水路内の圧力が低下しているため、排水部１８の排水弁体１８ｂは開弁位置に移動されている。
【００６８】
このような止水状態において、湯水混合室２１内に残留していた湯水は、カラン流出口６０ａを介して、カラン１２及び／又は排水部１８から排出される。これと同時に、湯水混合室２１内には、シャワーヘッド１４の散水孔、シャワー流出口６０ｂを介して外気が吸入される。
【００６９】
次に、図７を参照して、本発明の第１実施形態による湯水混合吐水装置における水抜き操作を説明する。
図７は、本実施形態による湯水混合吐水装置１の水抜き操作を説明するためのブロック図である。
まず、水抜きをする際には、湯水混合吐水装置１を止水状態とし、湯供給脚４、水供給脚６の上流側に夫々設けられた水抜栓（図示せず）を水抜き側に操作する。これにより、湯流入口２２ａ及び水流入口２２ｂよりも上流側に滞留している湯及び水が排出されると共に、吸気弁４ａ、６ａを介して各通水路内に外気が導入される。また、止水状態においては、上述したように、湯水混合温調装置２０の湯流入口２２ａ及び水流入口２２ｂは閉鎖されていると共に、湯水混合温調装置２０の湯水混合室２１内の湯水は、カラン１２及び／又は排水部１８から排出されている。従って、本実施形態の湯水混合吐水装置１によれば、単に水抜栓（図示せず）を水抜き側に操作するだけで全ての水抜き操作が完了する。
【００７０】
本発明の第１実施形態の湯水混合吐水装置１によれば、止水状態において、湯水混合吐水装置１の水抜きをする際には、単に、湯流入口２２ａ及び水流入口２２ｂの上流側の流路に設けられた水抜栓（図示せず）を水抜き側に操作するだけで、吸気弁４ａ、６ａから流路に外気が導入され、湯流入口２２ａ及び水流入口２２ｂの上流側の水抜きが完了する。一方、各流入口の下流側については、止水状態において、湯流入口２２ａ及び水流入口２２ｂが閉鎖されていると共に、湯水混合室２１と排水部１８及び吐水部であるカラン１２及びシャワーヘッド１４が連通されているので、湯水混合室２１内に残留した湯水は、排水部１８又はカラン１２から排出されている。この結果、湯水混合吐水装置１に対しては、特別な水抜きの操作を行う必要がなく、極めて容易に水抜きを行うことができる。
【００７１】
また、本実施形態の湯水混合吐水装置１においては、吐止水切換機構の一部として、湯水混合室２１の下流側に設けられた切換バルブ１６を備え、この切換バルブ１６は、湯水混合室２１とカラン１２を連通させるカラン流出口６０ａ及び湯水混合室２１とシャワーヘッド１４を連通させるシャワー流出口６０ｂを備え、カラン１２からの吐水時においてはカラン流出口６０ａのみが開弁され、シャワーヘッド１４からの吐水時においてはシャワー流出口６０ｂのみが開弁され、止水状態に切り換えられたときは、カラン流出口６０ａ及びシャワー流出口６０ｂの両方が開弁される。このため、簡単な構成で、止水状態において湯水混合室と第１吐水部であるカラン１２及び第２吐水部であるシャワーヘッド１４を連通させることができる。
【００７２】
さらに、本実施形態の湯水混合吐水装置１においては、吐止水切換機構の一部として、入口バルブ駆動機構であるカム部材２７及び摺動スリーブ２５を備えている。このカム部材２７は、切換バルブ１６と連動して、切換バルブ１６が止水状態に切り換えられたとき摺動スリーブ２５を摺動させて、湯流入口２２ａ及び水流入口２２ｂを閉鎖させる。このため、切換バルブ１６に対する単一の操作で、湯流入口２２ａ及び水流入口２２ｂの閉鎖と、カラン１２又はシャワーヘッド１４からの吐水の切り換えとを同時に行うことができる。
【００７３】
また、本実施形態の湯水混合吐水装置１においては、湯水混合室２１は、湯流入口２２ａの一部を形成する湯側シート部２２ｃ、及び水流入口２２ｂの一部を形成する水側シート部２５ａを備えている。また、主弁体３０は、湯側シート部２２ｃに当接する位置と水側シート部２５ａに当接する位置の間で摺動されることにより、湯流入口２２ａ及び水流入口２２ｂから湯水混合室２１内へ夫々流入する湯及び水の量を調節するように構成されている。吐止水切換機構の一部であるカム部材２７及び摺動スリーブ２５は、止水状態に切り換えられたとき、水側シート部２５ａを摺動させることにより、主弁体３０を湯側シート部２２ｃ及び水側シート部２５ａの両方に同時に当接させて湯流入口２２ａ及び水流入口２２ｂを閉鎖させる。このため、湯流入口２２ａ及び水流入口２２ｂを閉鎖させるための特別な弁体を設けることなく、各流入口を閉鎖させることができる。
【００７４】
次に、図９及び図１０を参照して、本発明の第２実施形態による湯水混合吐水装置を説明する。
本実施形態の湯水混合吐水装置は、湯供給脚及び水供給脚の構成が、上述した第１実施形態とは異なり、その他の構成は第１実施形態と同一である。従って、ここでは、本発明の第２実施形態の、第１実施形態とは異なる部分のみを説明し、同様の部分については説明を省略する。
【００７５】
図９は、本実施形態の湯水混合吐水装置に備えられている湯供給脚の断面図であり、内蔵されている吸気弁が閉弁された状態を示す。図１０は、図９に示した湯供給脚において、内蔵されている吸気弁が開弁された状態を拡大して示す。なお、本実施形態の湯水混合吐水装置に備えられている水供給脚は、湯供給脚と同一の構成であるため、説明を省略する。
【００７６】
図９及び図１０に示すように、本実施形態の湯水混合吐水装置に備えられている湯供給脚１００は、供給脚本体１０２と、この供給脚本体１０２に内蔵された止水栓１０４と、を有する。
供給脚本体１０２は、クランク状に湾曲した中空の管状部材である。供給脚本体１０２の下端部には、給湯管（図示せず）に接続するための供給管接続部１０２ａが壁面側に突出するように設けられている。供給脚本体１０２の上端部には、水栓本体（図９には図示せず）に接続するための本体接続部１０２ｂが、水栓本体側に突出するように設けられている。さらに、供給管接続部１０２ａの反対側には、止水栓１０４を受け入れるための、供給管接続部１０２ａと連通した弁体受入凹部１０２ｃが設けられている。
【００７７】
止水栓１０４は、給湯圧（給水圧）の調圧機能、止水栓機能及び吸気弁機能が一体的に組み込まれたユニットである。止水栓１０４は、止水弁体１０６と、この止水弁体１０６の周囲を取り囲むように配置された調圧弁体１０８と、止水弁体１０６の内部に配置された吸気弁体１１０と、を有する。さらに、止水栓１０４は、止水弁体１０６を供給脚本体１０２に固定するための弁体押さえ１１２と、調圧弁体１０８を開弁方向に付勢する調圧弁付勢ばね１１４と、吸気弁体１１０を開弁方向に付勢する吸気弁付勢ばね１１６と、を有する。
【００７８】
止水弁体１０６は、概ね円柱状の部材であり、その先端部には止水栓を開閉するための雄ねじ部１０６ａが設けられ、他方の端部には、ドライバー等で止水弁体１０６を回転させるための切欠１０６ｂが設けられている。さらに、止水弁体１０６の中間部には調圧弁付勢ばね１１４を係合させるための鍔部１０６ｃが設けられている。また、吸気弁体１１０を摺動可能に受け入れるための中心ボア１０６ｄが、止水弁体１０６の中心軸線上に沿って、止水弁体１０６を貫通するように形成されている。
【００７９】
供給脚本体１０２には、止水弁体１０６の雄ねじ部１０６ａを螺合させるための雌ねじ部１０２ｄが設けられている。また、鍔部１０６ｃの先端側（雄ねじ部１０６ａの側）には、止水弁用の環状パッキン１１８が取り付けられている。一方、供給脚本体１０２の、環状パッキン１１８に対向する位置には、シート面１０２ｅが形成されている。この構成により、止水弁体１０６を回転させると、雄ねじ部１０６ａが雌ねじ部１０２ｄにねじ込まれ、止水弁体１０６が供給管接続部１０２ａの方へ移動される。止水弁体１０６が移動され、環状パッキン１１８がシート面１０２ｅに当接すると、供給脚本体１０２内部の流路が閉鎖され、止水される。
【００８０】
調圧弁体１０８は、薄肉の段付き筒状の部材であり、止水弁体１０６を取り囲むように、止水弁体１０６に対して摺動可能に配置されている。また、止水弁体１０６と調圧弁体１０８の間には、調圧弁付勢ばね１１４が配置されている。調圧弁付勢ばね１１４は、止水弁体１０６を取り囲むように配置されたコイルばねであり、その周囲を取り囲むように調圧弁体１０８が配置されている。
【００８１】
また、調圧弁体１０８は、止水弁体１０６に取り付けられた環状パッキン１１８を取り囲んで当接するように配置されており、これにより、調圧弁体１０８の内側に湯（水）が流入しないようになっている。さらに、調圧弁付勢ばね１１４は、その一端が止水弁体１０６の鍔部１０６ｃに当接し、他端が調圧弁体１０８の段部に当接するように配置されている。このため、調圧弁体１０８は、調圧弁付勢ばね１１４により、シート面１０２ｅから離れる方向に付勢されている。
【００８２】
弁体押さえ１１２は、環状のキャップ状部材であり、止水弁体１０６を供給脚本体１０２の弁体受入凹部１０２ｃに固定するように構成されている。弁体押さえ１１２の先端部外周には雄ねじ部１１２ａが形成され、この雄ねじ部１１２ａが供給脚本体１０２に設けられた雌ねじ部に螺合されることにより、弁体押さえ１１２は供給脚本体１０２に固定される。一方、弁体押さえ１１２の中心軸線上には、段付き円形ボア１１２ｂが形成されており、この中に調圧弁体１０８が受け入れられている。調圧弁体１０８は、調圧弁付勢ばね１１４によって、弁体押さえ１１２に向けて付勢されており、この付勢力により、調圧弁体１０８の段部が段付き円形ボア１１２ｂの段部に押しつけられている。
【００８３】
吸気弁体１１０は段付き丸棒状の弁体であり、止水弁体１０６の中心ボア１０６ｄ内で軸線方向に摺動可能に配置されている。また、吸気弁体１１０の中間部には、テーパー部が設けられており、このテーパー部には吸気弁体パッキン１１０ａが取り付けられている。一方、吸気弁体１１０を受け入れている中心ボア１０６ｄにもテーパーした内壁面が形成されており、このテーパーした内壁面に吸気弁体パッキン１１０ａが当接することにより、中心ボア１０６ｄが閉鎖され、閉弁される。
【００８４】
また、中心ボア１０６ｄの内部には吸気弁付勢ばね１１６が配置されており、この吸気弁付勢ばね１１６は吸気弁体１１０の先端部を付勢している。吸気弁付勢ばね１１６は、弱いばねであり、吸気弁体１１０の吸気弁体パッキン１１０ａが、中心ボア１０６ｄの内壁面から離間するように、吸気弁体１１０を付勢している。吸気弁付勢ばね１１６は弱いばねであるため、供給脚本体１０２の通水路内に通常の給水圧が作用している状態では、吸気弁体１１０に作用する圧力により、吸気弁体パッキン１１０ａは中心ボア１０６ｄの内壁面に当接され、図９に示すように吸気弁体１１０は閉弁されている。
【００８５】
次に、本実施形態の湯水混合吐水装置に備えられている湯供給脚１００の作用を説明する。なお、上述したように、本実施形態においては水供給脚（図示せず）も湯供給脚１００と同一の構成を有し、内部を水が流れる点を除き、湯供給脚１００と同様に作用する。
まず、吐止水切換ハンドルが操作され、吐水状態とされると、湯供給脚１００及び水供給脚（図示せず）内に、湯及び水が夫々流れるようになる。供給管接続部１０２ａから流入した湯は、供給脚本体１０２内を図９に矢印で示す経路に沿って流れ、本体接続部１０２ｂから流出する。湯供給脚１００、水供給脚（図示せず）を夫々通過した湯及び水は、湯水混合室２１に流入する。湯及び水が湯水混合室２１に流入した後の湯水混合吐水装置の作用は、上述した第１実施形態と同じであるので、説明を省略する。
【００８６】
また、供給管接続部１０２ａからの供給圧力が高い場合には、湯供給脚１００に流入した湯は、調圧弁体１０８の外周面と段付き円形ボア１１２ｂの内壁面の間の隙間から湯が侵入し、調圧弁体１０８の段部と段付き円形ボア１１２ｂの段部との間の環状の隙間１２０の圧力が高くなる。環状の隙間１２０の圧力が高くなることにより、調圧弁体１０８は、調圧弁付勢ばね１１４の付勢力に抗して、シート面１０２ｅの方向に移動される（環状の隙間１２０が広がる）。調圧弁体１０８がシート面１０２ｅに向けて移動されると、調圧弁体１０８の先端（シート面１０２ｅの側）とシート面１０２ｅとの間の隙間が狭くなり、この隙間を通る流れの流路抵抗が大きくなる。これにより、供給脚本体１０２から流出する湯の圧力が所定の値に調節される。なお、水供給脚（図示せず）に備えられた調圧弁も、同様に作用する。
【００８７】
さらに、メンテナンス等の目的で、水栓本体２への湯及び水の供給を停止させる場合には、止水弁体１０６により、止水を行う。即ち、止水弁体１０６の切欠１０６ｂにドライバ等を差し込んで回転させることにより、雄ねじ部１０６ａを雌ねじ部１０２ｄにねじ込み、止水弁体１０６をシート面１０２ｅに向けて移動させる。環状パッキン１１８がシート面１０２ｅに当接されるまで止水弁体１０６が移動されると、止水弁が閉弁され、湯供給脚１００の流路が閉鎖される。なお、水供給脚（図示せず）に備えられた止水弁も、同様に作用する。
【００８８】
また、水抜きをする際には、湯水混合吐水装置を止水状態とし、湯供給脚１００、水供給脚（図示せず）の上流側に設けられた水抜栓（図示せず）を水抜き側に操作する。これにより、湯流入口２２ａ及び水流入口２２ｂよりも上流側の配管内が負圧になる。上流側の配管内が負圧になると、吸気弁体１１０に作用していた圧力が低下して、吸気弁付勢ばね１１６の付勢力により、吸気弁体１１０は図９に示す状態から、図１０に示す状態に移動される。これにより、吸気弁体パッキン１１０ａが中心ボア１０６ｄの内壁面から離間して吸気弁が開弁される。また、水供給脚（図示せず）に設けられている吸気弁も、同様に開弁される。吸気弁が開弁されることにより、図１０に矢印で示す経路を通って、外気が配管内に流入し、湯流入口２２ａ及び水流入口２２ｂよりも上流側に滞留している湯及び水が排出される。従って、本実施形態の湯水混合吐水装置によれば、単に水抜栓（図示せず）を水抜き側に操作するだけで全ての水抜き操作が完了する。
【００８９】
本発明の第２実施形態の湯水混合吐水装置によれば、吸気弁を湯供給脚、水供給脚にコンパクトに設けることができる。また、本実施形態によれば、吸気弁が、止水栓及び調圧弁と一体化されているので、汎用の湯供給脚（水供給脚）の止水栓を、吸気弁を含めてユニット化された止水栓に交換するだけで、水抜き機能を有する湯水混合吐水装置を構成することができる。
【００９０】
なお、上述した第２実施形態においては、止水栓には調圧弁及び吸気弁が備えられていたが、止水栓に吸気弁のみを設けることもできる。また、上述した第２実施形態においては、吸気弁体１１０は吸気弁付勢ばね１１６により開弁側に付勢されていたが、吸気弁付勢ばねは、吸気弁体を閉弁側に付勢するように設けることもできる。この場合には、配管内に発生した負圧により、吸気弁体が開弁側に移動され、外気が配管内に導入される。或いは、吸気弁体を付勢する部材を省略することもできる。この場合には、配管内に作用する給水圧力により吸気弁体は閉弁側に移動され、配管内が負圧になると、吸気弁体は開弁側に移動される。
【００９１】
以上、本発明の好ましい実施形態を説明したが、上述した実施形態に種々の変更を加えることができる。特に、上述した実施形態においては、第１吐水部としてカラン１２を備え、第２吐水部としてシャワーヘッド１４を備え、さらに排水部１８を備えていたが、変形例として、排水部１８を省略することができる。この場合には、湯水混合吐水装置１が止水状態にされたとき、湯水混合室２１内の湯水は一方の吐水部から排出されると共に、他方の吐水部から外気が吸入されて、湯水混合室２１内が水抜きされる。このように構成された本変形例によれば、カラン及びシャワーヘッドを備えた、最も一般的な構成の湯水混合吐水装置に大幅な変更を加えることなく本発明を適用することができる。
【００９２】
また、上述した実施形態においては、第１吐水部としてカラン１２を備え、第２吐水部としてシャワーヘッド１４を備え、さらに排水部１８を備えていたが、変形例として、第１吐水部又は第２吐水部の何れか一方を省略することができる。この場合には、湯水混合吐水装置１が止水状態にされたとき、湯水混合室２１内の湯水は排水部１８から排出されると共に、単一の吐水部から外気が吸入されて、湯水混合室２１内が水抜きされる。また、このように構成された本変形例によれば、湯水混合室２１内の残水が排水部１８から排出されるので、排水部１８を使用者の目につきにくい位置に設けることにより、湯水混合吐水装置１の品位を損なうことなく水抜きをすることができる。
【符号の説明】
【００９３】
１        本発明の第１実施形態による湯水混合吐水装置
２        水栓本体
４        湯供給脚
４ａ      吸気弁
６        水供給脚
６ａ      吸気弁
８        湯温調節用ダイヤル
１０      吐止水切換ハンドル
１２      カラン（第１吐水部）
１４      シャワーヘッド（第２吐水部）
１６      切換バルブ
１８      排水部
１８ａ    排水弁本体
１８ｂ    排水弁体
１８ｃ    排水弁体付勢ばね
１８ｄ    排水弁口形成部材
１９ａ    吸気弁本体
１９ｂ    吸気弁体
１９ｃ    吸気弁体付勢ばね
１９ｄ    吸気弁口
２０      湯水混合温調装置
２１      湯水混合室
２２      第１本体部材
２２ａ    湯流入口
２２ｂ    水流入口
２２ｃ    湯側シート部
２４      第２本体部材
２５      摺動スリーブ
２５ａ    水側シート部
２５ｂ    吐出口
２５ｃ    カム部
２６      送りねじ
２６ａ    スプライン部
２６ｂ    雄ねじ部
２７      カム部材
２７ａ    カム
２７ｂ    突起
２８      摺動部材
２８ａ    溝
２８ｂ    送り雌ねじ部
３０      主弁体
３２      バイアスばね（付勢手段）
３４      感温ばね（感温付勢手段）
３６      ばね押え金具
３８      脚付環状部材
３９      整流部材
４０      混合羽根部材
４０ａ    羽根
４２      Ｏリング（弾性シール部材）
４４      Ｕ字金具
４６      脚付スペーサーリング
５２      フィルター
５４      フィルター
６０      切換バルブ本体
６０ａ    カラン流出口（第１弁口）
６０ｂ    シャワー流出口（第２弁口）
６２      パッキン押さえ部材
６２ａ、６２ｂ  パッキン
６４      回転シリンダ
６４ａ、６４ｂ  流出開口
６４ｃ    切欠
６６      切換軸部材
１００    湯供給脚
１０２    供給脚本体
１０２ａ  供給管接続部
１０２ｂ  本体接続部
１０２ｃ  弁体受入凹部
１０２ｄ  雌ねじ部
１０２ｅ  シート面
１０４    止水栓
１０６    止水弁体
１０６ａ  雄ねじ部
１０６ｂ  切欠
１０６ｃ  鍔部
１０６ｄ  中心ボア
１０８    調圧弁体
１１０    吸気弁体
１１０ａ  吸気弁体パッキン
１１２    弁体押さえ
１１２ａ  雄ねじ部
１１２ｂ  段付き円形ボア
１１４    調圧弁付勢ばね
１１６    吸気弁付勢ばね
１１８    環状パッキン
１２０    環状の隙間
【図１】
2015086683.tif 000003
【図２】
2015086683.tif 000004
【図３】
2015086683.tif 000005
【図４】
2015086683.tif 000006
【図５】
2015086683.tif 000007
【図６】
2015086683.tif 000008
【図７】
2015086683.tif 000009
【図８】
2015086683.tif 000010
【図９】
2015086683.tif 000011
【図１０】
2015086683.tif 000012